【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
継手であって、
導管把持装置と、
継手本体であって、導管端を受ける導管端ソケットと、該導管把持装置の少なくとも一部とを有する継手本体と、
該継手本体と組み立てるためのドライブナットと
を含み、
該ドライブナットは、該管把持装置の少なくとも一部を受けるための大きさの凹所部を含み、該凹所部は、該継手本体への本締め中に導管端と係合するように該導管把持装置を駆動するための半径方向の駆動面を含み、先細の長手面は、該駆動面の半径方向の最外周端から軸方向および半径方向に間隔を空けられている半径方向の最内周端を有し、
該ドライブナットが継手本体と本締めされる場合、該導管把持装置は、該先細の長手面と接触するように半径方向に変位させられる、継手。
【請求項２】
前記導管把持装置は、第１の導管把持部材と第２の導管把持部材とを含み、前記ドライブナットの凹所部は、第１の先細の長手面と第２の先細の長手面とを含み、該ドライブナットが継手本体と本締めされる場合、該第１の導管把持部材は、該第１の先細の長手面と接触するように半径方向に変位させられ、該第２の導管把持部材は、該第２の先細の長手面と接触するように半径方向に変位させられる、請求項１に記載の継手。
【請求項３】
前記第１の先細の長手面と前記第２の先細の長手面とは、互いに不連続である、請求項２に記載の継手。
【請求項４】
前記ドライブナットは、雌ねじ付きナットを含む、請求項１に記載の継手。
【請求項５】
前記導管把持装置は、本締め中に前記継手本体のカム作用口部と係合する第１のフェルールと、本締め中に前記駆動面と係合する第２のフェルールとを含む、請求項１に記載の継手。
【請求項６】
前記ドライブナットが前記継手本体と本締めされる場合、前記第１のフェルールは、該先細の長手面と接触するように半径方向に変位させられる、請求項５に記載の継手。
【請求項７】
前記先細の長手面は、継手の分解中、前記導管把持装置から前記ナットの分離を補助するように構成されている、請求項１に記載の継手。
【請求項８】
前記先細の長手面は、円錐台形である、請求項１に記載の継手。
【請求項９】
前記継手が本締め前に手締めした状態である場合、前記導管把持装置の半径方向の最外周部は、前記先細の長手面から半径方向に間隔を空けられている、請求項１に記載の継手。
【請求項１０】
前記継手本体の導管端ソケットは、軸方方向に半径の内側で延びる肩部と、該肩部に対して半径方向および軸方向に外側へ延びる先細の長手導管捕捉面とを含む、請求項１に記載の継手。
【請求項１１】
前記肩部は、軸方向に延びかつ該肩部表面の半径方向の最外周端から半径方向に内側に延びる表面を含む、請求項１０に記載の継手。
【請求項１２】
前記導管端ソケットは、前記導管捕捉面からカム作用口部に延びる中間壁面をさらに含み、該中間壁面は、半径方向に外側へ延びかつ該導管捕捉面および該カム作用口部の各々とは異なる角度で延びるステップ状部分を含む、請求項１０に記載の継手。
【請求項１３】
前記継手は、管端と組み立てられるように構成されている、請求項１に記載の継手。
【請求項１４】
継手用のドライブナットであって、
ネジ付き継手本体と組み立てるように構成されたネジ付き部分と、
半径方向の駆動面および先細の長手面を含む凹所部であって、該凹所部は該半径方向の駆動面と該ネジ付き部分との間にある、凹所部と
を含み、
該先細の長手面は、該駆動面の半径方向の最外周端から軸方向かつ半径方向に間隔を空けられている半径方向の最内周端を有している、ドライブナット。
【請求項１５】
継手部品であって、
カム作用口部と、
管端を受けるための該カム作用口部の軸方向の内側に向う管端ソケットと
を含み、
該管端ソケットは、半径方向に延びる肩部と、該肩部に関して半径方向および軸方向に外側へ延びる先細の長手の捕捉面と、該管捕捉面から該カム作用口に延びる中間壁面とを含み、該中間壁面は、半径方向に外側へ延びかつ該管捕捉面および該カム作用口部の各々とは異なる角度で延びるステップ状部分を含む、継手部品。
【請求項１６】
管端を受けるためのソケットを備える継手部品であって、該ソケットは、軸方向の長手壁面と、該軸方向の長手壁面の軸方向内端に関して軸方向に内側へおよび半径方向に内側へ延びる先細の肩部とによって画定され、管端が該ソケット内に挿入されて該肩部に対して軸方向に圧縮された際、該肩部表面は、軸方向圧縮中における該管端の半径方向に外側への拡張を低減するために、該管端に対して半径方向に内側への旋回力を与えるように構成される、継手部品。
【請求項１７】
継手アセンブリであって、
継手本体と、
該継手本体と組み立てるための雌ネジ付きドライブナットであって、先細の長手面を有する雌ネジ付きドライブナットと、
該継手アセンブリが本締め前に手締めした状態である場合、該先細の長手面から半径方向に間隔を空けられた１つ以上のフェルールを含む管把持部材と
を備え、
該ドライブナットが、継手本体と本締めされている場合、該１つ以上のフェルールの全ては、該先細の長手面と接触するように半径方向に変位させられる、継手アセンブリ。
【請求項１８】
継手アセンブリであって、
導管把持装置と、
継手本体と
を含み、
該継手本体は、導管端ソケットを有し、該導管端ソケットは、導管端と、該導管把持装置と係合するための該導管端ソケットの軸方向の外端に隣接するカム作用口部とを受け、該導管端ソケットは、半径方向に延びる肩部と、該肩部に対して半径方向かつ軸方向に外側へ延びる先細の長手導管捕捉面と、管捕捉面から該カム作用口部に延びる中間壁面とを含み、該中間壁面は、半径方向に外側へ延びかつ該管捕捉面と該カム作用口部の各々とは異なる角度で延びているステップ状部分を含む、継手アセンブリ。
【手続補正２】
【補正対象書類名】明細書
【補正対象項目名】００２９
【補正方法】変更
【補正の内容】
【００２９】
図１および２に示されている特定の管継手１０は、継手本体１４に加えて、前フェルール８０、後フェルール８２、およびドライブナット４４を含む。本発明は、例えば、２つのフェルールではなく１つのフェルールのみを含む管継手を含む、その他の種類の管把持装置を含む継手にも適用できる。本発明は、その設計の多くが当該技術分野において既知である、異なる構成の前および／または後フェルールならびにドライブナットを含む管継手にも適用できる。
【手続補正３】
【補正対象書類名】明細書
【補正対象項目名】００５５
【補正方法】変更
【補正の内容】
【００５５】
図示されている管継手の本締め中、単一フェルール４８０の先端部の軸方向に内へおよび半径方向に内への動きによって、単一フェルール４８０の外側部分４８０ｒは、外へ拡張または変位し得る。ある状況下では、フェルール４８０のこの外側部分４８０ｒが本締め中にドライブナット４４４の内壁４４６と接触し、フェルール４８０の外側部分４８０ｒとドライブナット４４４の内壁４４６との間に半径方向の反力負荷を生じさせる場合がある。図９および１０の例示的な実施形態において、先細の長手面４４７は、内壁４４６の、フェルール４８０と軸方向に位置合わせされ、半径方向に間隔を空けた位置に設けられる。フェルール４８０の外側部分４８０ｒが本締め中に変位する場合、図８に示すように、外側部分４８０ｒは、先細の長手面４４７と接触する場合があり、反力の半径方向および軸方向成分の両方をもたらす。反力の軸方向成分はフェルール４８０からのナット４４４の分離を補助することができるため、内壁面の先細状態は（例えば、円筒形面とは対照的に）、分解中におけるフェルール４８０からのナット４４４の分離を補助することができる。最初にフェルール４８０を先細壁面４４７から解放すると、先細の長手面４４７の先細角度によって、実質的にいかなる力もなく、ナット４４４を分離することができる。
【手続補正４】
【補正対象書類名】明細書
【補正対象項目名】００５７
【補正方法】変更
【補正の内容】
【００５７】
図示されている管継手の本締め中、前フェルール５８０の先端部の軸方向に内へおよび半径方向に内への動きによって、前フェルール５８０の外側部分５８０ｒは、外へ拡張または変位し得る。同様に、内側の、後フェルール５８２の把持部分の軸方向および半径方向に内への動きによって、後フェルールの外側部分５８２ｒは、外へ拡張または変位し得る。ある状況下では、フェルール５８０、５８２のこれらの外側部分５８０ｒ、５８２ｒの一方または両方が、本締め中にドライブナット５４４の内壁５４６と接触し、１つまたは複数のフェルール５８０、５８２の外側部分５８０ｒ、５８２ｒとドライブナット５４４の内壁５４６との間に半径方向の反力負荷を生じさせる場合がある。図１１および１２の例示的な実施形態において、先細の長手面５４７は、内壁５４６の、フェルール５８０、５８２と軸方向に位置合わせされ、半径方向に間隔を空けた位置に設けられる。フェルール５８０、５８２の外側部分５８０ｒ、５８２ｒが本締め中に変位する場合、図１２に示すように、外側部分５８０ｒ、５８２ｒの一方または両方が、先細の長手面５４７と接触する場合があり、接触する面間に反力の半径方向成分および軸方向成分の両方をもたらす。反力の軸方向成分は１つまたは複数のフェルール５８０、５８２からのナット５４４の分離を補助することができるため、内壁面５４７の先細状態は（例えば、円筒形面とは対照的に）、分解中におけるフェルール５８０、５８２からのナット５４４の分離を補助することができる。最初に１つまたは複数のフェルール５８０、５８２を先細壁面５４７から解放すると、先細の長手面の先細角度によって、実質的にいかなる力もなく、ナット５４４を分離することができる。